(57)【要約】【課題】折り返しミラーの共振を抑制して、画像品質が低下するのを抑制することが可能な画像形成装置を提供する。【解決手段】この画像形成装置１は、光走査装置１９と、１つ以上の第２駆動モーターと、を備える。光走査装置１９は、ビーム光を偏向走査するポリゴンミラー３４と、ビーム光を被走査面上に結像させる走査光学系３５と、ビーム光を折り返して感光体ドラム１４へ導く折り返しミラー３６と、筐体３１と、を含む。筐体３１には、折り返しミラー３６の反射面３６ａを支持する第１支持部３２ａ、第２支持部３２ｂおよび第３支持部３２ｃが設けられる。第１支持部３２ａと第２支持部３２ｂとの距離をＬとすると、第３支持部３２ｃは、第１支持部３２ａから第２支持部３２ｂの方向にＬ／４の位置よりも第１支持部３２ａ側に配置されるとともに、第１支持部３２ａよりも第２支持部３２ｂ側に配置される。【選択図】図３
2015219353.tif 000002
【特許請求の範囲】
【請求項１】
光源部からのビーム光を偏向走査する回転多面鏡と、前記回転多面鏡を回転させる第１駆動モーターと、前記回転多面鏡により偏向されたビーム光を被走査面上に結像させるレンズと、前記レンズを通過したビーム光を折り返して像担持体へ導く折り返しミラーと、前記回転多面鏡、前記レンズ及び前記折り返しミラーが固定される筐体と、を含む光走査装置と、
前記光走査装置以外を駆動させる１つ以上の第２駆動モーターと、
を備え、
前記筐体には、前記折り返しミラーからのビーム光を通過させて前記被走査面に到達させるための開口部と、前記開口部の近傍に配置され、前記折り返しミラーの反射面を支持する複数の支持部と、が設けられ、
前記複数の支持部は、前記反射面の長手方向の両端部をそれぞれ支持する第１支持部および第２支持部と、前記反射面の長手方向の前記第１支持部と前記第２支持部との間の部分を支持する第３支持部と、を有し、
前記第１支持部と前記第２支持部との前記長手方向の距離をＬとすると、
前記第３支持部は、前記第１支持部から前記第２支持部の方向にＬ／４の位置よりも前記第１支持部側に配置され、
前記折り返しミラーを距離Ｌの間隔で支持したときの前記折り返しミラーの固有振動数をＡ１［Ｈｚ］とし、前記第１駆動モーターおよび前記第２駆動モーターの駆動周波数をそれぞれＢ１［Ｈｚ］およびＢ２［Ｈｚ］とすると、
前記折り返しミラーおよび少なくとも１つの前記第２駆動モーターは、｜Ａ１−Ｂ２｜＜２０［Ｈｚ］の関係を満たし、
前記第３支持部は、前記第１支持部よりも前記第２支持部側に配置され、
前記折り返しミラーを前記第１支持部、前記第２支持部および前記第３支持部によって支持したときの前記折り返しミラーの固有振動数をＡ２［Ｈｚ］とすると、
前記折り返しミラーおよび全ての前記第２駆動モーターは、｜Ａ２−Ｂ２｜≧２０［Ｈｚ］の関係を満たし、
前記折り返しミラーおよび前記第１駆動モーターは、｜Ａ２−Ｂ１｜≧２０［Ｈｚ］の関係を満たすことを特徴とする画像形成装置。
【請求項２】
前記複数の支持部は、前記折り返しミラーの反射面を支持する第４支持部を有し、
前記第４支持部は、前記第２支持部よりも前記第１支持部側で、かつ、前記第２支持部から前記第１支持部の方向にＬ／４の位置よりも前記第２支持部側に配置されることを特徴とする請求項１に記載の画像形成装置。
【請求項３】
前記複数の支持部は、前記折り返しミラーの反射面を支持する第４支持部を有し、
前記第２支持部は、前記反射面の短手方向の一方端部を支持し、
前記第４支持部は、前記第２支持部から前記第１支持部の方向にＬ／４の位置よりも前記第２支持部側で、かつ、前記反射面の短手方向の他方端部を支持することを特徴とする請求項１または２に記載の画像形成装置。
【請求項４】
前記折り返しミラーの裏面を前記支持部側に押圧する押圧部材を備え、
前記押圧部材は、前記裏面のうちの前記第１支持部と前記第３支持部との中間位置に対応する部分を押圧することを特徴とする請求項１〜３のいずれか１項に記載の画像形成装置。
【請求項５】
前記折り返しミラーの裏面を前記支持部側に押圧する押圧部材を備え、
前記押圧部材は、前記裏面のうちの前記第２支持部と前記第４支持部との中間位置に対応する部分を押圧することを特徴とする請求項２または３に記載の画像形成装置。
【請求項６】
前記折り返しミラーおよび全ての前記第２駆動モーターは、｜Ａ２−Ｂ２｜≧３０［Ｈｚ］の関係を満たし、
前記折り返しミラーおよび前記第１駆動モーターは、｜Ａ２−Ｂ１｜≧３０［Ｈｚ］の関係を満たすことを特徴とする請求項１〜５のいずれか１項に記載の画像形成装置。
【請求項７】
前記第２駆動モーターは、前記像担持体を回転させる駆動モーターであることを特徴とする請求項１〜６のいずれか１項に記載の画像形成装置。
【請求項８】
光源部からのビーム光を偏向走査する回転多面鏡と、
前記回転多面鏡を回転させる第１駆動モーターと、
前記回転多面鏡により偏向されたビーム光を被走査面上に結像させるレンズと、
前記レンズを通過したビーム光を折り返して像担持体へ導く折り返しミラーと、
前記回転多面鏡、前記レンズ及び前記折り返しミラーが固定される筐体と、
を備え、
前記筐体には、前記折り返しミラーからのビーム光を通過させて前記被走査面に到達させるための開口部と、前記開口部の近傍に配置され、前記折り返しミラーの反射面を支持する複数の支持部と、が設けられ、
前記複数の支持部は、前記反射面の長手方向の両端部をそれぞれ支持する第１支持部および第２支持部と、前記反射面の長手方向の前記第１支持部と前記第２支持部との間の部分を支持する第３支持部と、を有し、
前記第１支持部と前記第２支持部との前記長手方向の距離をＬとすると、
前記第３支持部は、前記第１支持部から前記第２支持部の方向にＬ／４の位置よりも前記第１支持部側に配置され、
前記折り返しミラーを距離Ｌの間隔で支持したときの前記折り返しミラーの固有振動数をＡ１［Ｈｚ］とし、前記第１駆動モーターの駆動周波数をＢ１［Ｈｚ］とすると、
前記折り返しミラーおよび前記第１駆動モーターは、｜Ａ１−Ｂ１｜＜２０［Ｈｚ］の関係を満たし、
前記第３支持部は、前記第１支持部よりも前記第２支持部側に配置され、
前記折り返しミラーを前記第１支持部、前記第２支持部および前記第３支持部によって支持したときの前記折り返しミラーの固有振動数をＡ２［Ｈｚ］とすると、
前記折り返しミラーおよび前記第１駆動モーターは、｜Ａ２−Ｂ１｜≧２０［Ｈｚ］の関係を満たすことを特徴とする光走査装置。
【請求項９】
請求項８に記載の光走査装置を備えることを特徴とする画像形成装置。
【発明の詳細な説明】
【技術分野】
【０００１】
本発明は、露光走査により被走査面上に潜像を形成する光走査装置およびそれを備えた複写機、プリンター、ファクシミリ、それらの複合機等の画像形成装置に関するものである。
【背景技術】
【０００２】
複写機やプリンターなどに用いられる光走査装置は、一般的に、光源と、光源からのビーム光を偏向走査するポリゴンミラー（回転多面鏡）と、ポリゴンミラーを回転させる駆動モーターと、ポリゴンミラーにより偏向されたビーム光を被走査面上に結像させるｆθレンズと、ｆθレンズを通過したビーム光を折り返して像担持体へ導く折り返しミラーと、これらが固定される筐体と、を備える。
【０００３】
筐体は、ポリゴンミラー、ｆθレンズおよび折り返しミラーが固定される底面部と、底面部の縁部から立設される側壁部と、を有する。光源から出射したビーム光は、ポリゴンミラー、ｆθレンズを通過した後、折り返しミラーによって折り返され、筐体の底面部に形成された開口部を介して、感光体ドラム（像担持体）に向かって照射される。
【０００４】
折り返しミラーの姿勢（取付角度）は感光体ドラムへのビーム光の照射位置や用紙（記録媒体）上の画像位置に影響するので、折り返しミラーを支持する筐体の支持部には高い寸法精度が要求される。このため、支持部の支持面を可能な限り小さな面で形成し、３つの支持部によって折り返しミラーを支持するのが一般的である。このような構成では、通常、折り返しミラーの反射面の長手方向の一方端部の上下２点と他方端部の中央１点との３点を、支持部によって支持する（例えば特許文献１参照）。
【０００５】
ところで、例えばＡ３サイズ対応の装置のように偏向走査する領域が広い場合や、感光体ドラムから折り返しミラーまでの距離が短い場合は、折り返しミラーが長尺になる。このため、折り返しミラーの固有振動数が低下するので、折り返しミラーの固有振動数が駆動モーターの駆動周波数と略一致して、折り返しミラーが駆動モーターと共振する場合がある。
【０００６】
これを回避するためには、折り返しミラーの固有振動数を低く又は高くして駆動モーターの駆動周波数から遠ざける必要がある。そこで、折り返しミラーに重りを貼り付けることによって折り返しミラーの固有振動数を低くした光走査装置が提案されている（例えば特許文献２参照）。しかしながら、折り返しミラーに重りを貼り付ける場合、組立工程が増加するとともに、重りにより折り返しミラーが撓む場合がある。また、画像形成装置にはポリゴンミラーを駆動する駆動モーターよりも低い駆動周波数で駆動する他の駆動モーターが多く存在するため、折り返しミラーに重りを貼り付けて折り返しミラーの固有振動数を低くしたとしても、他の駆動モーターと折り返しミラーとが共振する場合もある。
【０００７】
そこで、折り返しミラーの反射面の長手方向の一方端部、中央部および他方端部の各１点を支持することによって折り返しミラーの固有振動数を高くした光走査装置が提案されている（例えば特許文献３参照）。この光走査装置では、反射面の長手方向の一方端部および他方端部は短手方向の例えば上側を支持され、反射面の長手方向の中央部は短手方向の例えば下側を支持されることによって、３点支持される。なお、この光走査装置では、反射面の長手方向の略中央を支持することにより、支持点間の距離が約半分になるので、折り返しミラーの固有振動数は約２倍になる。
【先行技術文献】
【特許文献】
【０００８】
【特許文献１】特開２０１１−１９１３８１号公報
【特許文献２】特開平９−１２００３９号公報
【特許文献３】特開平１１−２２３７８７号公報
【発明の概要】
【発明が解決しようとする課題】
【０００９】
ところで、開口部周辺は筐体内で最も強度が低く、特に開口部の長手方向の中央部は１次の振動の腹になるので、最も大きく振動する。このため、折り返しミラーの反射面の一方端部、中央部および他方端部を支持する構成では、一方端部および他方端部の振動が小さく、中央部の振動が大きくなる。また、一方端部および他方端部では短手方向の例えば上側が支持され、中央部では短手方向の例えば下側が支持されるので、折り返しミラーは、上側の支持部を中心として下側が回動（振動）してしまう。この場合、折り返しミラーの厚み方向の振動以上に、ビーム光の照射位置や用紙上の画像位置に悪影響を及ぼすので、画像品質が特に低下する。また、折り返しミラーの長手方向の中央部を支持する構成では、１次の振動モードに対する折り返しミラーの共振を抑制することはできるが、２次の振動モードに対する折り返しミラーの共振を抑制するのは困難である。
【００１０】
本発明は、上記のような課題を解決するためになされたものであり、本発明の目的は、折り返しミラーの共振を抑制して、画像品質が低下するのを抑制することが可能な光走査装置およびそれを備えた画像形成装置を提供することである。
【課題を解決するための手段】
【００１１】
上記目的を達成するために、本発明の画像形成装置は、光源部からのビーム光を偏向走査する回転多面鏡と、回転多面鏡を回転させる第１駆動モーターと、回転多面鏡により偏向されたビーム光を被走査面上に結像させるレンズと、レンズを通過したビーム光を折り返して像担持体へ導く折り返しミラーと、回転多面鏡、レンズ及び折り返しミラーが固定される筐体と、を含む光走査装置と、光走査装置以外を駆動させる１つ以上の第２駆動モーターと、を備え、筐体には、折り返しミラーからのビーム光を通過させて被走査面に到達させるための開口部と、開口部の近傍に配置され、折り返しミラーの反射面を支持する複数の支持部と、が設けられ、複数の支持部は、反射面の長手方向の両端部をそれぞれ支持する第１支持部および第２支持部と、反射面の長手方向の第１支持部と第２支持部との間の部分を支持する第３支持部と、を有し、第１支持部と第２支持部との長手方向の距離をＬとすると、第３支持部は、第１支持部から第２支持部の方向にＬ／４の位置よりも第１支持部側に配置され、折り返しミラーを距離Ｌの間隔で支持したときの折り返しミラーの固有振動数をＡ１［Ｈｚ］とし、第１駆動モーターおよび第２駆動モーターの駆動周波数をそれぞれＢ１［Ｈｚ］およびＢ２［Ｈｚ］とすると、折り返しミラーおよび少なくとも１つの第２駆動モーターは、｜Ａ１−Ｂ２｜＜２０［Ｈｚ］の関係を満たし、第３支持部は、第１支持部よりも第２支持部側に配置され、折り返しミラーを第１支持部、第２支持部および第３支持部によって支持したときの折り返しミラーの固有振動数をＡ２［Ｈｚ］とすると、折り返しミラーおよび全ての第２駆動モーターは、｜Ａ２−Ｂ２｜≧２０［Ｈｚ］の関係を満たし、折り返しミラーおよび第１駆動モーターは、｜Ａ２−Ｂ１｜≧２０［Ｈｚ］の関係を満たす。
【発明の効果】
【００１２】
本発明によれば、折り返しミラーを距離Ｌの間隔で支持したときの折り返しミラーの固有振動数をＡ１［Ｈｚ］とし、第１駆動モーターおよび第２駆動モーターの駆動周波数をそれぞれＢ１［Ｈｚ］およびＢ２［Ｈｚ］とすると、折り返しミラーおよび少なくとも１つの第２駆動モーターは、｜Ａ１−Ｂ２｜＜２０［Ｈｚ］の関係を満たし、第３支持部は、第１支持部よりも第２支持部側に配置され、折り返しミラーを第１支持部、第２支持部および第３支持部によって支持したときの折り返しミラーの固有振動数をＡ２［Ｈｚ］とすると、折り返しミラーおよび全ての第２駆動モーターは、｜Ａ２−Ｂ２｜≧２０［Ｈｚ］の関係を満たし、折り返しミラーおよび第１駆動モーターは、｜Ａ２−Ｂ１｜≧２０［Ｈｚ］の関係を満たす。すなわち、折り返しミラーの固有振動数が第２駆動モーターの駆動周波数に近い状態から、第３支持部を第１支持部よりも第２支持部側に配置することによって、折り返しミラーの固有振動数を高くして全ての駆動モーター（第１駆動モーター、第２駆動モーター）の駆動周波数から２０Ｈｚ以上離している。これにより、折り返しミラーが駆動モーター（第１駆動モーター、第２駆動モーター）と共振するのを抑制することができるので、画像品質が低下するのを抑制することができる。
【００１３】
また、第１支持部と第２支持部との長手方向の距離をＬとすると、第３支持部は、第１支持部から第２支持部の方向にＬ／４の位置よりも第１支持部側に配置される。これにより、第３支持部を開口部の中央部から遠ざけて配置することができるので、第３支持部の振動が大きくなるのを抑制することができる。このため、折り返しミラーの短手方向の一方端部を中心として他方端部が回動（振動）するのを抑制することができるので、画像品質が低下するのをより抑制することができる。
【００１４】
また、第３支持部を第１支持部から第２支持部の方向にＬ／４の位置よりも第１支持部側に配置することによって、第２駆動モーターの１次、２次、３次および４次の振動モードに対する折り返しミラーの共振を抑制することができる。
【図面の簡単な説明】
【００１５】
【図１】本発明の第１実施形態の光走査装置を備えた画像形成装置の構造を概略的に示した断面図である。
【図２】本発明の第１実施形態の光走査装置の構造を上側から示した斜視図である。
【図３】本発明の第１実施形態の光走査装置の筐体の支持部および折り返しミラーの構造を説明するための斜視図である。
【図４】本発明の第１実施形態の光走査装置の構造を示した断面図である。
【図５】本発明の第２実施形態の光走査装置の筐体の支持部周辺の構造を示した斜視図である。
【図６】本発明の第３実施形態の光走査装置の筐体の支持部周辺の構造を示した斜視図である。
【発明を実施するための形態】
【００１６】
以下、本発明の実施形態について図面を参照して説明する。
【００１７】
（第１実施形態）
図１〜図４を参照して、本発明の第１実施形態による光走査装置１９を備えた画像形成装置１について説明する。
【００１８】
本実施形態の画像形成装置１の装置本体１ａの下部には、積載された用紙（記録媒体）を収容する給紙カセット２が配置されている。なお、図１では、右側を画像形成装置１の前方側として図示している。この給紙カセット２の上方には、装置本体１ａの前方から後方へ略水平に延び、更に上方へ延びて装置本体１ａの上面に形成された排紙部３に至る用紙搬送路４が形成されている。この用紙搬送路４に沿って上流側から順に、ピックアップローラー５、フィードローラー６、中間搬送ローラー７、レジストローラー対８、画像形成部９、定着部１０及び排出ローラー対１１が配置されている。
【００１９】
給紙カセット２には、給紙カセット２に対して回動自在に支持された用紙積載板１２が設けられている。用紙積載板１２上に積載された用紙がピックアップローラー５によって用紙搬送路４に向けて送出され、ピックアップローラー５によって複数枚の用紙が同時に送出された場合には、フィードローラー６とリタードローラー１３とによって用紙が捌かれ、最上位の１枚のみが搬送されるように構成されている。用紙搬送路４に送出された用紙は、中間搬送ローラー７によって装置本体１ａの後方へと搬送方向を変えられてレジストローラー対８へと搬送され、レジストローラー対８によってタイミングを調整されて画像形成部９へと供給される。
【００２０】
画像形成部９は、電子写真プロセスによって用紙に所定のトナー像を形成するものであり、図１において時計回りに回転可能に軸支された像担持体である感光体ドラム１４と、この感光体ドラム１４の周囲に配置される帯電装置１５、現像装置１６、クリーニング装置１７、用紙搬送路４を挟んで感光体ドラム１４に対向するように配置される転写ローラー１８及び感光体ドラム１４の上方に配置される光走査装置１９から構成されており、現像装置１６の上方には、現像装置１６へトナーを補給するトナーコンテナ２０が配置されている。
【００２１】
帯電装置１５には、図示しない電源が接続された導電性ゴムローラー１５ａが備えられており、この導電性ゴムローラー１５ａが感光体ドラム１４に当接するよう配置されている。そして、感光体ドラム１４が回転すると、導電性ゴムローラー１５ａが感光体ドラム１４の表面に接触して従動回転し、この時、導電性ゴムローラー１５ａに所定の電圧を印加することにより、感光体ドラム１４の表面が一様に帯電させられることになる。
【００２２】
次いで、光走査装置１９から射出されるビーム光により感光体ドラム１４上に入力された画像データに基づく静電潜像が形成され、現像装置１６により静電潜像にトナーが付着して感光体ドラム１４の表面にトナー像が形成される。そして、レジストローラー対８から感光体ドラム１４と転写ローラー１８とのニップ部（転写位置）に用紙が所定のタイミングで供給され、転写ローラー１８により用紙上に感光体ドラム１４の表面のトナー像が転写される。
【００２３】
トナー像が転写された用紙は、感光体ドラム１４から分離されて定着部１０に向けて搬送される。この定着部１０は、画像形成部９の用紙搬送方向の下流側に配置されており、画像形成部９においてトナー像が転写された用紙は、定着部１０に備えられた加熱ローラー２１、及びこの加熱ローラー２１に圧接される加圧ローラー２２によって加熱、加圧され、用紙に転写されたトナー像が定着される。
【００２４】
画像形成された用紙は、排出ローラー対１１によって排紙部３に排出される。一方、転写後に感光体ドラム１４の表面に残留しているトナーはクリーニング装置１７により除去され、感光体ドラム１４は帯電装置１５によって再び帯電され、以下同様にして画像形成が行われる。
【００２５】
次に、光走査装置１９について説明する。図２〜図４に示すように、光走査装置１９は、光源部３３と、回転多面鏡であるポリゴンミラー３４と、走査光学系（レンズ）３５と、折り返しミラー３６と、検知センサー３８と、これらが固定される筐体３１と、を備える。なお、図２では、折り返しミラー３６を省略している。
【００２６】
光源部３３は、レーザー光を出力するレーザーダイオード等の光源と、レーザー光のビーム径を整形するシリンドリカルレンズやコリメートレンズ等を有し、図示しないパソコン等から入力される画像データに基づいて変調されたビーム光を射出する。
【００２７】
ポリゴンミラー３４は、ポリゴンモーター（第１駆動モーター）３９によって所定の速度で回転され、光源部３３から射出されたビーム光を主走査方向Ｍに走査するように偏向させる。ポリゴンモーター３９は回路基板４０によって駆動制御される。
【００２８】
走査光学系３５は、１つ以上のレンズから構成され、ポリゴンミラー３４で反射したビーム光が主走査方向Ｍに一定の速度で走査されるように屈折させるとともに、被走査面にビーム光を結像させる。なお、本実施形態では走査光学系３５は、１つのｆθレンズにより構成されているが、２つ以上のｆθレンズにより構成されていてもよい。折り返しミラー３６は図４に示すように、走査光学系３５を透過したビーム光を走査光学系３５の下側に向けて折り返すように反射して感光体ドラム１４（図１参照）に導く。
【００２９】
検知センサー３８は図２に示すように、主走査方向Ｍの露光範囲を制御するための信号を出力するものであり、露光範囲外に配置された検知ミラー３７を介して走査光学系３５を通過したビーム光を受光する。
【００３０】
上記の構成において図２〜図４に示すように、光源部３３は画像データに基づいて変調されたビーム光をポリゴンミラー３４に向けて射出する。ポリゴンミラー３４は光源部３３から射出したビーム光を反射させ、その回転によって反射光を偏向走査する。走査光学系３５はポリゴンミラー３４で反射したビーム光を等速走査に変換し、折り返しミラー３６を介して被走査面である感光体ドラム１４（図１参照）の表面上に結像させる。これによって、光走査装置１９が感光体ドラム１４上の主走査方向Ｍの所定の範囲を露光走査し、感光体ドラム１４上に静電潜像が形成される。
【００３１】
ポリゴンミラー３４や折り返しミラー３６が固定される筐体３１は、熱伝導性が良好である樹脂により形成され、略平板状の底面部３１ａと、底面部３１ａの周縁から立ち上がる側壁部３１ｂと、側壁部３１ｂの上縁に取り付けられる上蓋３１ｃ（図４参照）と、を有する。底面部３１ａ、側壁部３１ｂ及び上蓋３１ｃによって形成される空間内には、ポリゴンミラー３４、走査光学系３５、折り返しミラー３６等が収容される。なお、図２および図３では、上蓋３１ｃを省略している。
【００３２】
ポリゴンミラー３４は、ポリゴンモーター３９の回転軸に一体に取り付けられ、ポリゴンモーター３９は回路基板４０を介在させて底面部３１ａに固定される。回路基板４０は、ポリゴンモーター３９の回転駆動を制御するドライバーＩＣ等を搭載し、底面部３１ａに固定される。
【００３３】
折り返しミラー３６は図４に示すように、走査光学系３５から射出したビーム光を感光体ドラム１４（図１参照）に向けて反射させるために、底面部３１ａや側壁部３１ｂに対して所定の角度だけ傾斜して固定される。
【００３４】
底面部３１ａには、折り返しミラー３６からのビーム光を通過させて感光体ドラム１４に到達させるための開口部３１ｄが形成されている。開口部３１ｄは、折り返しミラー３６の近傍に形成され、横長である折り返しミラー３６より少しだけ短く主走査方向Ｍに延びる開口からなる。
【００３５】
また、底面部３１ａには、開口部３１ｄの近傍に、折り返しミラー３６の反射面３６ａを支持する複数の支持部３２が一体成型されている。支持部３２は図３に示すように、反射面３６ａの長手方向（主走査方向Ｍ）の両端部をそれぞれ支持する第１支持部３２ａおよび第２支持部３２ｂと、反射面３６ａの長手方向の第１支持部３２ａと第２支持部３２ｂとの間の部分を支持する第３支持部３２ｃと、を有する。３つの支持部３２は、折り返しミラー３６を支持する支持面が小さな平面により形成されており、折り返しミラー３６の姿勢（取付角度）は、所定角度に精度良く保持される。
【００３６】
第１支持部３２ａは、折り返しミラー３６の長手方向の一方側（左側）に配置され、第２支持部３２ｂは、他方側（右側）に配置されている。第１支持部３２ａと第２支持部３２ｂとの間の、折り返しミラー３６の長手方向の距離はＬとなっている。
【００３７】
ここで、折り返しミラー３６を距離Ｌの間隔で支持したときの折り返しミラー３６の固有振動数は、Ａ１（＝約３００）[Ｈｚ]である。また、ポリゴンモーター３９の駆動周波数は、約４５０[Ｈｚ]（約４００[Ｈｚ]以上約８００[Ｈｚ]以下）であり、感光体ドラム１４を回転させるドラムモーター（第２駆動モーター）４２（図１参照）の駆動周波数は、約３００[Ｈｚ]である。すなわち、折り返しミラー３６の固有振動数は、ドラムモーター４２の駆動周波数と一致しているので、画像形成装置１に搭載され光走査装置１９以外を駆動させる駆動モーター（第２駆動モーター）の駆動周波数をＢ２[Ｈｚ]とすると、折り返しミラー３６および少なくとも１つの第２駆動モーター（ここではドラムモーター４２）は、｜Ａ１−Ｂ２｜＜２０［Ｈｚ］の関係を満たすことになる。
【００３８】
なお、ポリゴンモーター３９は、画像形成装置１に搭載される全駆動モーターの中で最も駆動周波数が高く、ドラムモーター４２は、２番目に駆動周波数が高い。
【００３９】
第３支持部３２ｃは、第１支持部３２ａから第２支持部３２ｂの方向にＬ／４の位置よりも第１支持部３２ａ側に配置されている。
【００４０】
また、第３支持部３２ｃは、第１支持部３２ａよりも第２支持部３２ｂ側に配置され、例えば第１支持部３２ａから１５ｍｍだけ第２支持部３２ｂ側に配置されている。これにより、折り返しミラー３６を第１支持部３２ａ、第２支持部３２ｂおよび第３支持部３２ｃによって支持したときの折り返しミラー３６の固有振動数は、Ａ２（＝約３３０）[Ｈｚ] となっており、折り返しミラー３６および全ての第２駆動モーターは、｜Ａ２−Ｂ２｜≧３０［Ｈｚ］の関係を満たし、ポリゴンモーター３９の駆動周波数をＢ１［Ｈｚ］とすると、折り返しミラー３６およびポリゴンモーター３９は、｜Ａ２−Ｂ１｜≧３０［Ｈｚ］の関係を満たしている。
【００４１】
また、第１支持部３２ａは反射面３６ａの上端（短手方向の一方端）を支持し、第３支持部３２ｃは反射面３６ａの下端（短手方向の他方端）を支持する。第２支持部３２ｂは、反射面３６ａの短手方向の中心よりも上側（一方端側）を支持する。なお、第１支持部３２ａおよび第２支持部３２ｂは、反射面３６ａのビーム光が照射される被照射領域よりも左側および右側に配置されており、第３支持部３２ｃは、被照射領域よりも下側に配置されている。
【００４２】
また、折り返しミラー３６の裏面（背面）は、板バネ等からなる２つの押圧部材４１（図４参照）によって支持部３２側に押圧されている。一方の押圧部材４１は、折り返しミラー３６の裏面のうちの第１支持部３２ａと第３支持部３２ｃとの中間位置に対応する部分Ｐ１（図３参照）を押圧し、他方の押圧部材４１は、折り返しミラー３６の裏面のうちの第２支持部３２ｂに対応する部分Ｐ２（図３参照）を押圧している。
【００４３】
本実施形態では、上記のように、折り返しミラー３６および画像形成装置１に搭載される少なくとも１つの第２駆動モーター（ここではドラムモーター４２）は、｜Ａ１−Ｂ２｜＜２０［Ｈｚ］の関係を満たし、第３支持部３２ｃは、第１支持部３２ａよりも第２支持部３２ｂ側に配置され、折り返しミラー３６および全ての第２駆動モーターは、｜Ａ２−Ｂ２｜≧２０［Ｈｚ］の関係を満たすとともに、折り返しミラー３６およびポリゴンモーター３９は、｜Ａ２−Ｂ１｜≧２０［Ｈｚ］の関係を満たす。すなわち、折り返しミラー３６の固有振動数が第２駆動モーター（ここではドラムモーター４２）の駆動周波数に近い状態から、第３支持部３２ｃを第１支持部３２ａよりも第２支持部３２ｂ側に配置することによって、折り返しミラー３６の固有振動数を高くして全ての駆動モーター（第１駆動モーター、第２駆動モーター）の駆動周波数から２０Ｈｚ以上離している。これにより、折り返しミラー３６が駆動モーター（第１駆動モーター、第２駆動モーター）と共振するのを抑制することができるので、画像品質が低下するのを抑制することができる。
【００４４】
また、第１支持部３２ａと第２支持部３２ｂとの長手方向の距離をＬとすると、第３支持部３２ｃは、第１支持部３２ａから第２支持部３２ｂの方向にＬ／４の位置よりも第１支持部３２ａ側に配置される。これにより、第３支持部３２ｃを開口部３１ｄの中央部から遠ざけて配置することができるので、第３支持部３２ｃの振動が大きくなるのを抑制することができる。このため、折り返しミラー３６の上端（短手方向の一方端）を中心として下端（短手方向の他方端）が回動（振動）するのを抑制することができるので、画像品質が低下するのをより抑制することができる。
【００４５】
また、第３支持部３２ｃを第１支持部３２ａから第２支持部３２ｂの方向にＬ／４の位置よりも第１支持部３２ａ側に配置することによって、第２駆動モーター（ここではドラムモーター４２）の１次、２次、３次および４次の振動モードに対する折り返しミラー３６の共振を抑制することができる。
【００４６】
また、上記のように、押圧部材４１は、折り返しミラー３６の裏面のうちの第１支持部３２ａと第３支持部３２ｃとの中間位置に対応する部分Ｐ１を押圧する。これにより、１つの押圧部材４１によって折り返しミラー３６を第１支持部３２ａおよび第３支持部３２ｃに押圧させることができるので、折り返しミラー３６を第１支持部３２ａに押圧させる押圧部材４１と第３支持部３２ｃに押圧させる押圧部材４１とを別々に設ける場合に比べて、押圧部材４１の数を削減することができる。
【００４７】
また、上記のように、折り返しミラー３６および全ての駆動モーター（第１駆動モーター、第２駆動モーター）は、｜Ａ２−Ｂ１｜≧３０［Ｈｚ］、｜Ａ２−Ｂ２｜≧３０［Ｈｚ］の関係を満たす。これにより、折り返しミラー３６の固有振動数を全ての駆動モーターの駆動周波数から３０Ｈｚ以上離すことができるので、折り返しミラー３６が駆動モーターと共振するのを十分に抑制することができる。
【００４８】
また、上記のように、折り返しミラー３６の固有振動数は、ポリゴンモーター３９やドラムモーター４２の駆動周波数と略一致しやすいので、ポリゴンモーター３９およびドラムモーター４２が｜Ａ２−Ｂ１｜≧２０［Ｈｚ］、｜Ａ２−Ｂ２｜≧２０［Ｈｚ］の関係を満たすように、第３支持部３２ｃを配置することは特に有効である。
【００４９】
（第２実施形態）
次に、図５を参照して、本発明の第２実施形態の光走査装置１９について説明する。
【００５０】
本発明の第２実施形態では図５に示すように、支持部３２は、第１支持部３２ａ、第２支持部３２ｂおよび第３支持部３２ｃに加えて、第４支持部３２ｄを有する。本実施形態では、４つの支持部３２によって、折り返しミラー３６を精度良く支持するための同一平面が構成されている。
【００５１】
第４支持部３２ｄは、第２支持部３２ｂから第１支持部３２ａの方向にＬ／４の位置よりも第２支持部３２ｂ側に配置されている。
【００５２】
また、第４支持部３２ｄは、第２支持部３２ｂよりも第１支持部３２ａ側に配置され、例えば第２支持部３２ｂから１５ｍｍだけ第１支持部３２ａ側に配置されている。これにより、折り返しミラー３６を第１支持部３２ａ、第２支持部３２ｂ、第３支持部３２ｃおよび第４支持部３２ｄによって支持したときの折り返しミラー３６の固有振動数は、Ａ３（＝約３６０）[Ｈｚ] となっている。すなわち、折り返しミラー３６および全ての駆動モーター（第１駆動モーター、第２駆動モーター）は、｜Ａ２−Ｂ１｜≧５０［Ｈｚ］、｜Ａ２−Ｂ２｜≧５０［Ｈｚ］の関係を満たすことになる。
【００５３】
また、第４支持部３２ｄは反射面３６ａの下端（短手方向の他方端）を支持する。なお、第４支持部３２ｄは、反射面３６ａの被照射領域よりも下側に配置されている。
【００５４】
右側（他方）の押圧部材４１は、折り返しミラー３６の裏面のうちの第２支持部３２ｂと第４支持部３２ｄとの中間位置に対応する部分Ｐ３を押圧している。
【００５５】
第２実施形態のその他の構造は、上記第１実施形態と同様である。
【００５６】
本実施形態では、上記のように、折り返しミラー３６の反射面３６ａを支持する第４支持部３２ｄを設け、第４支持部３２ｄを第２支持部３２ｂよりも第１支持部３２ａ側に配置することによって、折り返しミラー３６の固有振動数をより高くしてドラムモーター４２の駆動周波数からより遠ざけることができる。これにより、折り返しミラー３６がドラムモーター４２と共振するのをより抑制することができる。
【００５７】
また、第４支持部３２ｄは、第２支持部３２ｂから第１支持部３２ａの方向にＬ／４の位置よりも第２支持部３２ｂ側に配置される。これにより、第４支持部３２ｄを開口部３１ｄの中央部から遠ざけて配置することができるので、第４支持部３２ｄの振動が大きくなるのを抑制することができる。このため、第４支持部３２ｄを設けて折り返しミラー３６の固有振動数を高くした場合であっても、折り返しミラー３６の上端（短手方向の一方端）を中心として下端（短手方向の他方端）が回動（振動）するのを抑制することができる。
【００５８】
また、上記のように、押圧部材４１は、折り返しミラー３６の裏面のうちの第２支持部３２ｂと第４支持部３２ｄとの中間位置に対応する部分Ｐ３を押圧する。これにより、１つの押圧部材４１によって折り返しミラー３６を第２支持部３２ｂおよび第４支持部３２ｄに押圧させることができるので、折り返しミラー３６を第２支持部３２ｂに押圧させる押圧部材４１と第４支持部３２ｄに押圧させる押圧部材４１とを別々に設ける場合に比べて、押圧部材４１の数を削減することができる。
【００５９】
また、上記のように、折り返しミラー３６および全ての駆動モーター（第１駆動モーター、第２駆動モーター）は、｜Ａ２−Ｂ１｜≧５０［Ｈｚ］、｜Ａ２−Ｂ２｜≧５０［Ｈｚ］の関係を満たす。これにより、折り返しミラー３６の固有振動数を全ての駆動モーターの駆動周波数から５０Ｈｚ以上離すことができるので、折り返しミラー３６が駆動モーターと共振するのをさらに十分に抑制することができる。
【００６０】
第２実施形態のその他の効果は、上記第１実施形態と同様である。
【００６１】
（第３実施形態）
次に、図６を参照して、本発明の第３実施形態の光走査装置１９について説明する。
【００６２】
本発明の第３実施形態では図６に示すように、上記第２実施形態と同様、支持部３２は、第１支持部３２ａ、第２支持部３２ｂおよび第３支持部３２ｃに加えて、第４支持部３２ｄを有する。
【００６３】
第４支持部３２ｄは、第２支持部３２ｂから第１支持部３２ａの方向にＬ／４の位置よりも第２支持部３２ｂ側に配置されており、本実施形態では、折り返しミラー３６の長手方向において第２支持部３２ｂと同じ位置に配置されている。これにより、折り返しミラー３６を第１支持部３２ａ、第２支持部３２ｂ、第３支持部３２ｃおよび第４支持部３２ｄによって支持したときの折り返しミラー３６の固有振動数は、Ａ４（＝約３３０）[Ｈｚ] となっている。
【００６４】
第２支持部３２ｂは反射面３６ａの上端（短手方向の一方端）を支持し、第４支持部３２ｄは反射面３６ａの下端（短手方向の他方端）を支持する。
【００６５】
第３実施形態のその他の構造は、上記第１および第２実施形態と同様である。
【００６６】
本実施形態では、上記のように、折り返しミラー３６の反射面３６ａを支持する第４支持部３２ｄを設け、第２支持部３２ｂは、反射面３６ａの上端（短手方向の一方端）を支持し、第４支持部３２ｄは、反射面３６ａの下端（短手方向の他方端）を支持する。これにより、折り返しミラー３６の上端を中心として下端が回動（振動）するのをより抑制することができるので、画像品質が低下するのをより抑制することができる。
【００６７】
また、第４支持部３２ｄは、第２支持部３２ｂから第１支持部３２ａの方向にＬ／４の位置よりも第２支持部３２ｂ側に配置される。これにより、第４支持部３２ｄを開口部３１ｄの中央部から遠ざけて配置することができるので、第４支持部３２ｄの振動が大きくなるのを抑制することができる。
【００６８】
第３実施形態のその他の効果は、上記第１および第２実施形態と同様である。
【００６９】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００７０】
例えば、図１に示したようなモノクロプリンターに本発明を適用した例について示したが、本発明はこれに限らない。言うまでもなく、カラープリンター、カラー複写機、モノクロ複写機、デジタル複合機、ファクシミリ等の、露光走査により被走査面上に潜像を形成する光走査装置を備えた種々の画像形成装置に本発明を適用できる。
【００７１】
また、上記実施形態では、折り返しミラー３６を距離Ｌの間隔で支持したときの折り返しミラー３６の固有振動数Ａ１がドラムモーター４２の駆動周波数と一致している場合について示したが、折り返しミラー３６の固有振動数Ａ１がポリゴンモーター３９やドラムモーター４２以外の第２駆動モーターの駆動周波数と近い場合（差が２０Ｈｚ未満の場合）にも適用可能である。
【００７２】
また、上述した実施形態および変形例の構成を適宜組み合わせて得られる構成についても、本発明の技術的範囲に含まれる。
【符号の説明】
【００７３】
１  画像形成装置
１４  感光体ドラム（像担持体）
１９  光走査装置
３１  筐体
３１ｄ  開口部
３２  支持部
３２ａ  第１支持部
３２ｂ  第２支持部
３２ｃ  第３支持部
３２ｄ  第４支持部
３３  光源部
３４  ポリゴンミラー（回転多面鏡）
３５  走査光学系（レンズ、ｆθレンズ）
３６  折り返しミラー
３６ａ  反射面
３９  ポリゴンモーター（第１駆動モーター）
４１  押圧部材
４２  ドラムモーター（第２駆動モーター）
Ｐ１、Ｐ３  部分
【図１】
2015219353.tif 000003
【図２】
2015219353.tif 000004
【図３】
2015219353.tif 000005
【図４】
2015219353.tif 000006
【図５】
2015219353.tif 000007
【図６】
2015219353.tif 000008